(57)【要約】【課題】  紙製の受診録からＩＣカードのようなデジタル記録媒体を使用するデジタル健康診断に時代は移ろうとしている。しかし導入には現在使用している視力計などからデジタル出力のあるものに買い換える必要があり、コストもかなりかかってしまう。また眼鏡、コンタクト、片眼のみコンタクトのような健康診断では必要不可欠な付加情報を扱う機能は無く、学校の４段階の結果判定にも対応していない。これらの解決を課題とする。【解決手段】  ＶＤＴ近点距離検査を含む視力検査専用の小型軽量の入力端末を作り、これを現在使用しているデジタル出力のない視力計やＶＤＴ近点計に増設することで、買い換えることなく、低コストでデジタル化が可能となる。また眼鏡使用などの必要不可欠な付加情報をスイッチ１つで入力出来るようにし、学校用の４段階の結果も学校用スイッチで簡単に変換入力できるようにした。以上により課題を解決する。【選択図】図１
2009045402.tif 000002
【特許請求の範囲】
【請求項１】
検査結果のデジタル出力を目的とした、ＶＤＴ近点距離検査を含む視力検査専用の入力端末
【請求項２】
検査結果以外の必要な情報のデジタル出力を目的としたＶＤＴ検査関連を含む視力検査専用の付加情報の入力スイッチ
【請求項３】
デジタル出力を目的とした学校用の４段階の視力の結果Ａ、Ｂ、Ｃ、Ｄに対応した入力スイッチ
【発明の詳細な説明】
【技術分野】
【０００１】  本発明は主に健康診断や巡回健康診断における可搬型の視力計などによる、視力検査またはＶＤＴ検査に関するものであり、現在広く普及しているデジタル出力の無い視力計などでの、検結果をデジタルデータとして扱えるようにし、巡回健康診断や学校の健康診断では不可欠なその他の情報、眼鏡、コンタクト等の付加情報とともに視力の結果を一括してデジタルデータとして出力するための専用の可搬型入力装置である。
【背景技術】
【０００２】  現在使用されている視力計の例として（株）トプコン社製のＳＳ−３、（株）エイテック社製のＮＳ−１０００、自動視力計として（株）エイテック社製のＡＴ−１０００や、（株）ニデック社製のＮＶ−３００などがある。ＶＤＴ近点計は（株）エイテック社製ＮＰ−１０００や（株）ニデック社製ＶＮＰ−２００などがある。各検査機関で普及しているのはデジタル出力を持たない機種がほとんどである。その他文献は不明。
【発明の開示】
【発明が解決しようとする課題】
【０００３】  施設による健康診断はもとより、巡回健康診断においてもすべての検査結果をデジタル化しようとする動きが始まっている。従来より紙製の個人受診録（カルテ）に各検査の結果を記録していたが、これに替わりＩＣカードの様な記憶媒体にデジタルデータとして検査、記録しようとする動きである。しかし現在普及している視力計またはＶＤＴ近点計では、デジタル出力がない機種が圧倒的に多く、デジタル化するには、現在発売されているデジタル出力がある自動視力計などに買い換えが必要であるが、通常の視力計に比べても高額であり、健康診断を実施する医療機関では何台も所有している場合がほとんどで、買い換えにはかなりコストがかかってしまうことと、現在の自動視力計では検査を受ける者が自分で操作して結果を出すタイプのものであり、検査時間が従来の検査より多くかかってしまい、単位時間あたりの検査出来る人数が減ってしまうので、これを補うため従来より視力計の台数数を増やす必要がある。また出力できるのは視力の結果のみで、眼鏡又はコンタクトをしている、片眼のみコンタクト、何らかの理由により片眼のみ検査なし、などの健康診断の現場では必要不可欠なこれらの付加情報は扱えない。ＶＤＴ近点距離検査についても同様である。また学校用の４段階の判定Ａ、Ｂ、Ｃ、Ｄのデジタル出力に対応出来るものがない。これらを解決することを課題とする。
【課題を解決するための手段】
【０００４】  この課題を解決するための請求項１の発明は、視力の検査結果をデジタル出力することを目的とした小型軽量で低コストの専用の入力装置を作り、従来から使用しているデジタル出力の無い視力計に増設することにより、そのまま使用して結果をデジタル化できるので、買い換えにかかるコストの大幅な削減が出来る。またデジタルでの出力はＲＳ２３２Ｃと呼ばれる端子を装備しており、本発明ではＰＩＣというマイクロコンピューターで制御し内蔵のＵＳＡＲＴの非同期式通信という機能を用いて結果のデジタル出力をおこなうことで１つめの課題を解決する。【０００５】  また請求項２の発明は、現在の視力計やＶＤＴ近点計、自動視力計でも、視力以外の眼鏡またはコンタクトを使用している、ハードコンタクト、ソフトコンタクト、使い捨てコンタクト、眼鏡忘れた、片眼のみコンタクト、失明などの何らかの原因のため視力検査の片眼の結果なし、また０．１以下の視力は通常の視力計では測定出来ない機種が多いので０．１以下という項目など、実際の健康診断の現場で起こりうる必要不可欠な付加情報を入力できるように専用の入力スイッチを設けた。またＶＤＴ近点計では、−２Ｄ、＋２Ｄ、＋４Ｄというレンズを加入して検査する場合がある。このレンズを入れたことを表示する付加情報の入力スイッチなど、これらの情報１つに対して１つの入力スイッチで対応した入力スイッチを設けることでワンタッチで必要な情報を入力できるようにしたことを特徴とするＶＤＴ近点距離検査を含む視力検査専用の付加情報入力スイッチで２つめの課題を解決する。【０００６】  請求項３の発明は、学校の視力検査では４段階の判定、Ａ、Ｂ、Ｃ、Ｄを採用している学校があるので、これに対応するため本発明ではデジタル出力を目的とした専用の入力機構として学校用スイッチ図１符号２を入れることにより視力０．２以下のどれかのスイッチを押すとＤ、０，３〜０，６のどれかのスイッチを押すとＣ、同様に０，７〜０．９はＢ、１．０以上のスイッチはＡを出力するように、簡単に入出力できるようにする。
【発明の効果】
【０００７】  これから徐々に巡回健康診断などでも、紙の受診録に記録していた検査結果をＩＣカードの様な記録媒体にデジタルで記録しようとする動きが出ていて、将来的にはすべての検査機関においてデジタル化されると考えられる。従来のＶＤＴ機器を含む視力計などではこれに対応するために、デジタル出力を持つ自動視力計に買い換えが必要となり、かなりのコストがかかってしまう。しかし自動視力計は検査員が検査する視力と違い、検査を受ける者が自分で操作して結果を出すタイプで、時間も従来よりかかってしまう。またメーカーでは自動視力計の導入で、無人化しコスト削減出来るとしているものの、一定の条件下では有効であるが、長年にわたり健康診断の現場に携わってきた者の経験からすれば、機械に弱い年配者などは、どんな簡単な機械でも操作の間違いや予想もつかない勘違いにより本来とは全く違った検査結果になってしまうおそれが多分にある。自動音声による案内がある自動視力計もあるが、年配者の事を考慮すると現時点では信頼性に欠けるといわざるを得ない。また単位時間内に一定の人数を検査しなければならない健康診断では、これまででは視力計１台で検査していたところを時間がかかる分、２台又は３台に増やす必要が出てくるため、どうしてもかなりのコスト増になってしまう。操作の説明や検査結果の記録媒体への結果転送などで人員の配置は不可欠で、自動視力計は多くの状況においては無人化は難しく、これによる人員削減によるコスト削減は不可能である。
そこで本発明のデジタル視力検査端末は小型軽量、低コストであり、従来の視力計にそのまま増設することにより、視力計の買い換えにかかる費用を大幅に削減でき、手軽に検査結果のデジタル化が可能となり、検査員が入力、結果の転送をおこなうので検査時間も従来とほとんど変わりなく、デジタル化によるコストの増加を最小限に抑えられることを特徴とする。【０００８】  従来ではできなかった視力検査の結果以外の、健康診断の実施現場において必要不可欠な情報の眼鏡を使用、ハードコンタクトを使用、ソフトコンタクトを使用、使い捨てコンタクトを使用、眼鏡を忘れた、片眼のみコンタクトを使用、そして０．１までしか測定できない視力計が多いので０．１が見えなかった者は０．１以下、何らかの理由により片眼のみ視力測定なし、などを専用の付加情報入力スイッチを設けることにより、簡単に入力できるようにしたことを特徴とする。【０００９】  また学校の健康診断の視力検査ではＡ、Ｂ、Ｃ、Ｄの４段階による結果表示を採用しているが、直接対応したものは無い。本発明ではこれに対応するためデジタル出力を目的とした専用の入力機構として、学校用スイッチを設け、スイッチを切り替え普通に視力を測定するだけで、４段階の判定に変換して出力できるようにしたことを特徴とする。
【発明を実施するための最良の形態】
【００１０】  図１はデジタル出力の無い従来の視力計またはＶＤＴ機器に追加することで、デジタル出力できる事を目的としたＶＤＴ近点距離検査を含む視力検査専用の入力端末であるが、この図は視力検査の入力のみに機能を絞ったデジタル視力検査端末の上面図である。
符号７のＲＳ２３２Ｃの出力端子で内蔵のＰＩＣと呼ばれるマイクロコンピューターにより、入力スイッチとともに制御される。
符号１０、は左の視力の入力エリア、符号１４の横一列は視力結果の入力用スイッチで視力を測定したらその値のスイッチを押すと、スイッチのＬＥＤが点灯し選択されたことがわかり、その値が出力待機状態となる。訂正は他の値のスイッチを押すと、それが選択され訂正される。また視力計により０．１以下が測定できない機種があり、０．１が見えない場合０．１以下のスイッチ符号１３で対応し、０．１以下の出力待機状態となる。
片眼のみコンタクトを使用している人にも対応すべく、付加情報スイッチの左のみコンタクト符号１２をもうけてあり、左のみコンタクトの表示を出力待機する。
何らかの理由で左眼の視力が無い、または今回は測定しない場合は、付加情報スイッチの左のみ測定なしの符号１１を押すと、左のみ視力なしの表示が出力待機される。
符号９は右の視力の入力エリアで左の視力の入力エリアと同様である。
また図１の上段にある５つのスイッチは両目に対応しこれは重複して押すことは出来ない。付加情報入力スイッチで符号３は眼鏡をしている場合、このスイッチを押すと眼鏡の表示が出力待機され、符号４はハードコンタクト、符号５はソフトコンタクト、符号６は使い捨てコンタクト、符号１は眼鏡忘れ、の情報が出力される。
符号２の学校用スイッチをＯＮにすると、この左側のＬＥＤが点灯し選択されたことを表示する。また視力の値の０．１〜０．２を押すと判定Ｄに対応するＬＥＤがすべて点灯し、判定Ｄの出力待機状態となり通常の視力入力で無いことが確認できる。他の判定も同様で、０．３〜０．６を押すとこれらすべてが点灯し判定Ｃの出力待機となり、０，７〜０．９が判定Ｂ、１．０以上が判定Ａとなり、学校用の判定に対応。符号８の送信スイッチはすべての入力が完了し出力待機状態になったときに、これを押すと結果が送信されるが、左右の視力の必要な結果入力を忘れた場合は忘れた側の０．１〜１．５のすべてのＬＥＤが３秒間点滅し、入力忘れを警告し入力待機状態にもどる。【００１１】  図２は本発明のデジタル視力検査端末のＶＤＴ近点距離検査用の端末である。
ここでは図１のデジタル視力検査端末とは別体型の端末としているが、使用状況によっては一体型とする場合もありうる。
この本体は図１のデジタル視力検査端末と同じくＰＩＣというマイクロコンピューターで液晶表示器と各スイッチおよびＲＳ２３２Ｃ端子をを制御する。
まず眼鏡使用の有無を入力するための付加情報スイッチの符号１５のメガネ、符号１６の両目コンタクトを備える。符号２６の右のみコンタクトと左のみコンタクトのスイッチで、片眼のみコンタクトを使用している場合に対応し、何らかの理由により片眼を検査しない場合に対応するため、符号２７の右のみ測定なし、左のみ測定なしのスイッチを設けてある。そして測定は通常左右とも３回づつ実施し、その平均をだすが、符号２２の１０キーで測定値を入力する。測定は右眼の１回目から順に入力し３回測定すると平均値が自動的に表示され、つぎに左眼の順となる。符号１７の液晶表示機に左右とも１回目から３回目の結果が表示され、出力待機状態となる。訂正は符号２２の１０キーの下側のＣキーを押す、入力結果の確定は符号２２の下側のＥＮＴＥＲキーを押す。
近点距離の検査では状況により、何種類かのレンズを加入して検査するため付加情報として加入レンズを選択入力するための、左眼エリア用のスイッチ符号２４、右眼エリア用のスイッチ符号２５を装備する。また加入レンズを入れると、その種類により実際に測定した数値を換算して、換算値として入力しなければならないため、簡略化するために、たとえば＋２Ｄのレンズをいれた場合符号２４の左エリアまたは符号２５の右エリアのスイッチで加入レンズを選択すると、１０キーで入力するだけでその加入されたレンズの値で補正された数値が表示され、従来の様に検査員が変換補正しなくても良い仕組みとなっていて簡単に入力可能となる。そしてすべての入力が完了したら符号２０の送信スイッチで結果をデジタル出力する。
またこの図１、図２には乗せていないがＶＤＴ検査において５０ｃｍ視力は重要であるので、実用的には図１のデジタル視力検査端末の視力検査の１項目として搭載、もしくは図２のデジタル視力検査端末の近点距離検査用のどちらかに搭載することが望ましい。【００１２】  また視力検査において、検査を受ける者が自分で測定する自動視力計ではなく、従来の可搬型のデジタル出力の無い視力計の背面やコントロール部に本発明の機能である視力の結果の入力スイッチや付加情報の入力スイッチを内蔵して、検査員が測定するタイプの視力計としてデジタル出力をも装備し、従来の検査の紙の受診録の両方にも対応出来るタイプの視力計としても良い。将来的にはこのタイプの視力計が理想である。理由としては、年配者などは機械に弱い人も多く、検査員がいない無人の状態でスムーズな測定と付加情報の入力さらには結果をＩＣカードの様な記録媒体に転送する事は難しい。また測定できたとしてもかなりの時間がかかってしまい、単位時間内に決められた人数を検査しなければならない健康診断には現在の自動視力計は一部の限られた条件下を除き、巡回健康診断などでは不向きである。また乱視検査、立体視検査、眼位検査などの入力スイッチがあると良い。
【産業上の利用可能性】
【００１３】  本発明に係るデジタル視力検査端末は工業的に生産可能で、デジタル健康診断での利用可能性を有する。
【図面の簡単な説明】
【００１４】
【図１】本発明のデジタル視力検査端末の上面図であり、視力と付加情報を入力するための視力検査専用の入力端末で、デジタル出力のためのＲＳ２３２Ｃ端子を備える。
【００１５】
【図２】デジタル視力検査端末のＶＤＴ近点距離検査用の上面図である。結果表示用の液晶表示器と付加情報入力スイッチなどを備える。
【符号の説明】
【００１６】１    眼鏡を忘れたことを選択出力する付加情報のスイッチ
２    学校用の判定結果を出力するとき選択する、学校用スイッチで選択されると左側のＬＥＤが点灯する
３    眼鏡をしていることを表示する、眼鏡スイッチで両眼に対応
４    ハードコンタクトレンズを使用していることを選択出力する付加情報スイッチで、ハードコンタクトスイッチ、両眼に対応
５    ソフトコンタクトレンズを使用していることを選択出力する付加情報スイッチで、ソフトコンタクトスイッチ、両眼に対応
６    使い捨てコンタクトレンズを使用していることを選択出力する付加情報スイッチで、使い捨てコンタクトスイッチ、両眼に対応
７    結果や付加情報をデジタル出力するための、ＲＳ２３２Ｃ端子
８    入力された結果や付加情報を出力するための、送信スイッチ
９    右目の視力の検査結果や付加情報を入力するための、右目入力エリア
１０  左目の視力の検査結果や付加情報を入力するための、左目入力エリア
１１  左目が何らかの理由により、視力を測定しない場合に測定なしの結果を出力するためのスイッチ、右目のエリアも同じスイッチがある
１２  左目のみがコンタクトレンズをしている場合に、左目のみコンタクトの付加情報を出力するスイッチ、右目のエリアも同じスイッチがある
１３  視力計が０．１までしか測定出来ない視力計で０．１が見えなかったとき、０．１以下の結果を出力するスイッチ、右目のエリアも同じスイッチがある
１４  視力の測定結果の０．１〜１．５までの結果を出力するためのスイッチで、１番〜１２番までのスイッチが並ぶ、右目のエリアも同様
１５  デジタル視力検査端末のＶＤＴ近点距離検査用の付加情報入力スイッチで眼鏡の入力スイッチ
１６  デジタル視力検査端末のＶＤＴ近点距離検査用の付加情報入力スイッチで両目ともコンタクトの入力スイッチ
１７  入力情報を表示する液晶表示器
１８  入力された検査結果の１回目から３回目の結果を表示する
１９  検査結果の１回目から３回目までの平均値が表示される
２０  すべての結果の入力が完了したときに結果を外部へ送信するためのスイッチ
２１  結果を送信するためのＲＳ２３２Ｃ端子
２２  検査結果を入力するための１０キー
２３  検査のため加入したレンズの種類を入力するスイッチで、左眼の加入ンズを選択するための付加情報入力スイッチ、右眼も同様である
２４  検査のため左眼に加入したレンズの種類を入力するための付加情報のスイッチが並ぶエリア
２５  検査のため右眼に加入したレンズの種類を入力するための付加情報のスイッチが並ぶエリア
２６  片眼のみコンタクトをしている場合に選択する、右のみコンタクトと左のみコンタクトの付加情報の入力スイッチ
２７  何らかの理由で片眼のみ測定しない場合入力する、右測定なし、左測定なしの付加情報の入力スイッチ
【図１】
2009045402.tif 000003
【図２】
2009045402.tif 000004